(57)【要約】【目的】用紙の転載が簡単で狭い場所にも設けられる丁合装置を提供する。【構成】  この丁合装置は、一部が画像形成手段の下方に配置された水平搬送部５と、垂直搬送部２と、垂直搬送部と画像形成手段との間に配置された画像形成済み用紙受容部３と、水平搬送部の上のトレイ配置部６にて移動自在である複数の用紙積載トレイ７と、受容部３に設けられて下方の用紙積載トレイに用紙を落下転載する用紙転載手段４０と、トレイ配置部６の丁合位置Ｃに設けられて用紙を水平搬送部に送り出す丁合給紙部８０を有する。画像形成済みの用紙は受容部３に入った後、真下にあるトレイ７に落下して積載され、その後丁合位置Ｃに移動し、水平搬送部に送り出されて丁合が行なわれる。【選択図】図１
2005096895.tif 000002
【特許請求の範囲】
【請求項１】
一部が画像形成手段の下方に配置されるとともに他部が画像形成装置の下方から外方に突出して配置されて用紙を水平方向に搬送する水平搬送部と、
前記水平搬送部の他部に設けられて前記水平搬送部が搬送した用紙を垂直方向に搬送する垂直搬送部と、
前記垂直搬送部と前記画像形成手段との間に配置されて前記画像形成手段から排出される用紙を受容する画像形成済み用紙受容部と、
前記水平搬送部に移動自在に配置された複数の用紙積載トレイと、
前記画像形成済み用紙受容部に設けられ、前記画像形成済み用紙受容部の下方に配置された前記用紙積載トレイに用紙を落下させて転載する用紙転載手段と、
前記水平搬送部の前記一部に設けられ、前記用紙積載トレイに積載されて搬送された用紙を前記水平搬送部に送り出す送り出し手段と、
を有する丁合装置。
【請求項２】
前記用紙転載手段は、貫通孔が設けられた基台と、該基台に設けられて前期貫通孔を開閉する開閉手段と、前記基台に設けられて前記画像形成手段から排出される用紙を受容する領域を区画するとともに前記開閉手段が開いて用紙を落下せしめることで前記用紙積載トレイに用紙を転載する際には前記基台と前記用紙積載トレイとの間に移動して落下する用紙を案内する案内手段とを有している請求項１記載の丁合装置。
【請求項３】
前記水平搬送部の上側には案内構造が設けられており、
前記案内構造には、前記用紙積載トレイと、前記用紙積載トレイに着脱自在に係合して前記案内構造に沿って移動することにより前記用紙積載トレイを該案内構造に沿って往復移動させるトレイ移動手段とが設けられていることを特徴とする請求項１記載の丁合装置。
【請求項４】
前記水平搬送部には、前記用紙転載手段の下方に設けられた前記用紙積載トレイへの用紙転載位置と、該用紙転載位置と前記垂直搬送部との間に設けられた前記用紙積載トレイの収納位置と、前記用紙積載トレイから前記水平搬送部へ用紙を送り出す前記送り出し手段が設けられた丁合位置とが設定されており、
前記用紙積載トレイは、トレイ移動手段によって前記収納位置から前記用紙転載位置に移動して前記画像形成済み用紙受容部の前記用紙転載手段から用紙の転載を受け、トレイ移動手段によって前記用紙転載位置から前記丁合位置に移動して前記送り出し手段により前記水平搬送部に用紙を送り出すことを特徴とする請求項３記載の丁合装置。
【請求項５】
前記用紙積載トレイは、その積載面が移動方向に略対面しており、その上部が前記垂直搬送部に向くように傾斜する収納姿勢と該収納姿勢と反対側に傾斜する積載・丁合姿勢との間で揺動可能であり、前記収納位置では前記収納姿勢に設定され前記用紙転載位置及び前記丁合位置では前記積載・丁合姿勢に設定されることを特徴とする請求項４記載の丁合装置。
【請求項６】
前記用紙転載位置と前記収納位置と前記丁合位置の少なくとも一部には、設定された前記用紙積載トレイを位置決めするための手段が設けられていることを特徴とする請求項４記載の丁合装置。
【発明の詳細な説明】
【技術分野】
【０００１】
本発明は、多部数の冊子を作成するために画像形成装置と連動して画像形成済み用紙の丁合作業を行なう丁合装置に係り、特に装置の一部を画像形成装置の下方に設置することにより設置スペースのコンパクト化を図った省スペース型の丁合装置に関するものである。
【背景技術】
【０００２】
多部数の冊子を作成することを目的として画像形成済み用紙の丁合作業を行なう場合には、一般に次のような２つの手法があった。第１に、原稿の各頁を必要部数に対応する枚数だけ印刷し、各頁の画像形成が終了する毎に、画像形成済みの同用紙を作業者が画像形成装置とは別の独立した丁合装置に運んで積載し直し、画像形成作業とは別個に丁合作業を行うというものである。第２に、大容量の丁合装置を画像形成装置に並列して設置しておき、画像形成動作に連動させて丁合作業を行うというものである。下記特許文献１は、このような画像形成装置に並列して設置される丁合装置に関するものである。
【特許文献１】特開平００−００００号公報
【発明の開示】
【発明が解決しようとする課題】
【０００３】
しかしながら、各頁について所定枚数の画像形成が終了する毎に、画像形成装置とは独立した丁合装置に画像形成済みの用紙を手作業で積載し直し、画像形成作業とは別個に丁合作業を行う上記第１の手法では、すべての画像形成作業が終了するまでは、作業者が画像形成装置から離れられなくなってしまうと同時に、用紙の載せ替えという作業が必要になるという問題点がある。
【０００４】
一方、大容量の丁合装置を画像形成装置に並列して設置し、画像形成動作に連動させて丁合作業を行う前記第２の手法では、画像形成動作中でも作業者が画像形成装置から離れることは可能であるが、大容量の丁合装置を設置する為に一定規模の空間が必要となるため、床面積や室内容積が限られた場所に同装置を設置することは困難であるという問題点がある。
【０００５】
そこで、本発明は、積載された画像形成済み用紙の丁合装置への転載を簡単な方式で自動化すると共に、丁合装置において画像形成済み用紙が積載される用紙積載トレイを画像形成装置の設置スペース（例えば画像形成装置の下方、具体的には画像形成装置架台内部等）内で移動自在となるよう設けることにより、設置領域が限定された場所に画像形成装置と連動する丁合装置を設けられるようにすることを目的とする。
【課題を解決するための手段】
【０００６】
請求項１に記載された丁合装置は、
一部が画像形成手段の下方に配置されるとともに他部が画像形成装置の下方から外方に突出して配置されて用紙を水平方向に搬送する水平搬送部と、
前記水平搬送部の他部に設けられて前記水平搬送部が搬送した用紙を垂直方向に搬送する垂直搬送部と、
前記垂直搬送部と前記画像形成手段との間に配置されて前記画像形成手段から排出される用紙を受容する画像形成済み用紙受容部と、
前記水平搬送部に移動自在に配置された複数の用紙積載トレイと、
前記画像形成済み用紙受容部に設けられ、前記画像形成済み用紙受容部の下方に配置された前記用紙積載トレイに用紙を落下させて転載する用紙転載手段と、
前記水平搬送部の前記一部に設けられ、前記用紙積載トレイに積載されて搬送された用紙を前記水平搬送部に送り出す丁合給紙部と、
を有している。
【０００７】
請求項２に記載された丁合装置は、請求項１記載の丁合装置において、
前記用紙転載手段が、貫通孔が設けられた基台と、該基台に設けられて前期貫通孔を開閉する開閉手段と、前記基台に設けられて前記画像形成手段から排出される用紙を受容する領域を区画するとともに前記開閉手段が開いて用紙を落下せしめることで前記用紙積載トレイに用紙を転載する際には前記基台と前記用紙積載トレイとの間に移動して落下する用紙を案内する案内手段とを有することを特徴としている。
【０００８】
請求項３に記載された丁合装置は、請求項１記載の丁合装置において、
前記水平搬送部の上側には案内構造が設けられており、
前記案内構造には、前記用紙積載トレイと、前記用紙積載トレイに着脱自在に係合して前記案内構造に沿って移動することにより前記用紙積載トレイを該案内構造に沿って往復移動させるトレイ移動手段とが設けられていることを特徴としている。
【０００９】
請求項４に記載された丁合装置は、請求項３記載の丁合装置において、
前記水平搬送部には、前記用紙転載手段の下方に設けられた前記用紙積載トレイへの用紙転載位置と、該用紙転載位置と前記垂直搬送部との間に設けられた前記用紙積載トレイの収納位置と、前記用紙積載トレイから前記水平搬送部へ用紙を送り出す前記丁合給紙部が設けられた丁合待機位置とが設定されており、
前記用紙積載トレイは、トレイ移動手段によって前記収納位置から前記用紙転載位置に移動して前記画像形成済み用紙受容部の前記用紙転載手段から用紙の転載を受け、トレイ移動手段によって前記用紙転載位置から前記丁合待機位置に移動して前記丁合給紙部により前記水平搬送部に用紙を送り出すことを特徴としている。
【００１０】
請求項５に記載された丁合装置は、請求項４記載の丁合装置において、
前記用紙積載トレイは、その積載面が移動方向に略対面しており、その上部が前記垂直搬送部に向くように傾斜する収納姿勢と該収納姿勢と反対側に傾斜する積載・丁合姿勢との間で揺動可能であり、前記収納位置では前記収納姿勢に設定され前記用紙転載位置及び前記丁合待機位置では前記積載・丁合姿勢に設定されることを特徴としている。
【００１１】
請求項６に記載された丁合装置は、請求項４記載の丁合装置において、
前記用紙転載位置と前記収納位置と前記丁合待機位置の少なくとも一部には、設定された前記用紙積載トレイを位置決めするための手段が設けられていることを特徴としている。
【発明の効果】
【００１２】
請求項１に記載された丁合装置によれば、水平搬送部の一部が画像形成手段の下方に配置される構成なので、例えば画像形成装置の架台内部などを設置スペースとして利用でき、設置スペースに限度がある場所にも画像形成装置とともに設置することができる。また、画像形成済み用紙の用紙積載トレイへの転載は、受容部に受け入れた用紙を下方の用紙積載トレイに落下させて移動させるだけであり、簡単な構造で確実な動作を実現できる。
【００１３】
請求項２に記載された丁合装置によれば、請求項１記載の丁合装置の効果に加え、
用紙転載手段の開閉手段が開いて用紙を落下させて積載する際に、用紙の案内手段が移動することで用紙の落下経路を区画して案内となるので、落下による用紙の用紙積載トレイへの積載が確実になるという効果がある。
【００１４】
請求項３に記載された丁合装置によれば、請求項１記載の丁合装置の効果に加え、
用紙を丁合するための用紙積載トレイの移動が簡単な構成で確実に行なえるという効果がある。
【００１５】
請求項４に記載された丁合装置によれば、請求項３記載の丁合装置の効果に加え、
用紙積載トレイを収納位置から用紙転載位置に移動して画像形成済み用紙受容部から用紙の転載を受け、さらに丁合待機位置に移動して丁合給紙部で水平搬送部に用紙を送り出して丁合を行なうことができ、画像形成装置の設置範囲内に一部が設けられた省スペース型の丁合装置において一連の用紙の移載及び丁合作業が効率的に行なえるという効果がある。
【００１６】
請求項５に記載された丁合装置によれば、請求項４記載の丁合装置の効果に加え、
複数の用紙積載トレイは、収納姿勢で重ねられてコンパクトに収納でき、用紙の積載を受け、また積載された用紙を送り出して丁合を行なう際には、丁合待機位置で丁合姿勢に設定されて垂直搬送部に向けて用紙を送り出すことができる。
【００１７】
請求項６に記載された丁合装置によれば、請求項４記載の丁合装置の効果に加え、
用紙積載トレイを位置決めするための手段が用紙転載位置に設けられていれば、用紙の落下による転載先であるトレイが所定の位置に固定されるので、用紙の転載が確実であるという効果があり、同位置決め手段が収納位置にあれば、非使用時のトレイを近接した状態で所定の収納位置に収納しておくことができるという効果があり、同位置決め手段が丁合待機位置にあれば、用紙が積載されたトレイを丁合給紙部がある丁合待機位置に正確に位置決めして用紙を丁合のために水平搬送部に正規の状態で送り込むことができるという効果がある。
【発明を実施するための最良の形態】
【００１８】
以下、本発明を実施するために特許出願人が本件特許出願時点で最良と思う本発明の実施の形態を説明する。
以下の説明では、まず項目１において、図１及び図２を参照して装置全体の構成等を説明し、その後項目２以降において、図３〜図９（ｂ）を参照しつつ本装置の主要な各部の構成・作用等を説明する。その際、本装置における主要な各部の動作について詳細に示した図１０（ａ）〜図１３（ｂ）のフローチャートを適宜参照する。
【００１９】
１．装置全体の概略構成等 (図１及び図２）
図１は、本発明の実施の形態である丁合装置１００と画像形成装置２００の要部構成概略図であり、画像形成装置２００による印刷が終了し、丁合装置１００による丁合作業を行なうために丁合装置１００内で用紙を移動させる作業が行なわれる状態を示している。図２は、丁合装置１００の初期状態を示す図であり、画像形成装置２００によって画像が形成された用紙を丁合装置１００に積載し始めようとする状態を示している。
【００２０】
本例の丁合装置１００は、一部が画像形成装置２００の下方にある架台２０１の内部に配置される構造であり、全体として設置面積の小さいコンパクトな構成になっている。
まず、画像形成装置２００の下方にある架台２０１の内部には、用紙を水平方向に搬送する水平搬送部５の一部（図１，２において右側略半部）が配置されている。水平搬送部５の他部（図１，２において左側略半部）は、画像形成装置２００の架台２０１から外方に突出して配置されている。この水平搬送部５の他部には、水平搬送部５が搬送した用紙を垂直方向に搬送する垂直搬送部２が設けられている。水平搬送部５と垂直搬送部２は、共に用紙搬送モータ４で駆動される搬送ベルト５ａ，２ａを有しており、水平搬送部５の一部から他部に搬送された用紙を、垂直搬送部２において連続的に垂直上方に搬送し、垂直搬送部２の上部に設けられた丁合済み用紙収容部１に収納することができる。
【００２１】
前記垂直搬送部２と前記画像形成手段２００との間には、前記画像形成手段２００から排出される用紙を受容する画像形成済み用紙受容部３が配置されている。画像形成済み用紙受容部３は、次項２．で詳述するように、積載した用紙を下方に配置された用紙積載トレイ７に落下させて転載する機能を備えた用紙転載手段４０を有している。
【００２２】
前記水平搬送部５の上面側には、複数の用紙積載トレイ７が、その往復動作等のための案内構造を備えた用紙積載トレイ配置部６を介して水平方向に往復移動可能に設けられている。水平搬送部５は、画像形成済み用紙受容部３の用紙転載手段４０の下方が用紙積載トレイ７へ用紙を転載する際の用紙転載位置Ａ (図１及び図２参照）とされており、またこの用紙転載位置Ａと前記垂直搬送部６との間が用紙積載トレイ７の収納位置Ｂとされており (図２参照）、さらに画像形成装置２００の下方が用紙積載トレイ７から水平搬送部５へ用紙を送り出す複数の丁合待機位置Ｃとされている (図１参照）。この丁合待機位置Ｃには、後述するように丁合給紙部８０が設けられて用紙を下方の水平搬送部５に送り出せるように構成されている。
【００２３】
ここで、以上説明した概略構成における全体的な作用を説明する。
画像形成装置２００が所定枚数の用紙に画像を形成して画像形成済み用紙受容部３に排出して積載する。収納位置Ｂにある用紙積載トレイ７の一つが用紙転載位置Ａに設定され、画像形成済み用紙受容部３の用紙転載手段４０が機能して用紙を用紙転載位置Ａにある用紙積載トレイ７の載置面に落下して積載する。用紙を積載した用紙積載トレイ７は水平搬送部５に沿って所定の丁合待機位置Ｃまで移動する。丁合が必要なすべての頁について画像形成が完了し、それぞれ用紙積載トレイ７に転載して各々所定の丁合待機位置Ｃに設定したら、各用紙積載トレイ７から所定の順序で用紙を水平搬送部５に送り出して丁合作業を始める。用紙は水平搬送部５と垂直搬送部２によって搬送され、所定の順序で丁合済み用紙収容部１に排出されて丁合が行なわれる。丁合終了後、空になった各用紙積載トレイ７は、収納位置Ｂに戻され、その内の丁合待機位置Ｃ側にある一つの用紙積載トレイ７が、次の作業に備えてあらかじめ用紙転載位置Ａに設定される。
【００２４】
２．用紙転載手段４０を備えた画像形成済み用紙受容部３の構成等
（図３〜図５（ａ）及び図５（ｂ））
図３ならびに図４には、この丁合装置１００の画像形成済み用紙受容部３に備えられた用紙転載手段４０の要部構成図を示す。画像形成済み用紙受容部３の用紙転載手段４０は、画像形成装置２００から排出された用紙を積載保持した後、用紙積載トレイ７に載せ替えるための機構である。
【００２５】
用紙転載手段４０は貫通孔４１ａが設けられた基台４１を有している。該基台４１には、貫通孔４１ａを開閉する開閉手段として、各先端を中央に向けて十字形に配置された４本の用紙支持棒８が設けられており、これらの用紙支持棒８は水平状態から下方に傾斜した状態との間で揺動可能とされ、貫通孔４１ａを開閉することができる。
【００２６】
前記基台４１には、画像形成装置２００から排出された用紙の一対の側縁をガイドする案内手段として一対の用紙ガイド板１０，１０と、これを用紙のサイズに合わせて面と垂直な方向に移動させるとともに用紙の落下供給時には同一面内で回転させる用紙ガイド板駆動部９と、画像形成装置２００から排出された用紙が突き当たる用紙止め板１１と、これを用紙のサイズに合わせて面と垂直な方向に移動させる用紙止め板駆動部１２とが備えられている。これらの用紙ガイド板１０及び用紙止め板１１は、前記画像形成装置２００から排出された用紙のサイズに合わせて位置が設置され、用紙を受容するための矩形の領域を区画する。
【００２７】
画像形成済み用紙受容部３が画像形成装置２００から排出された用紙を積載保持する場合には、用紙支持棒８は閉鎖（上昇した）状態に設定され、用紙ガイド板１０ならびに用紙止め板１１は、各々、用紙ガイド板駆動部９ならびに用紙止め板駆動部１２の働きにより、画像形成装置から排出される用紙の大きさに応じて、既定の位置に配置される。
【００２８】
ここで、以上説明した構成における作用を説明する。
図５（ｂ）の分図（１）〜（４）には、画像形成済み用紙受容部３から用紙積載トレイ７へ用紙を転載する際の用紙転載手段４０の動作例を示す。また図１０（ａ），図１０（ｂ）には用紙転載動作の詳細を示すフローチャートを示し、同図中の各ステップにはステップ１（以下Ｓ１と略称する）からＳ９までの符号を付すので以下の説明において適宜参照されたい。
【００２９】
画像形成装置２００において画像形成動作が終了すると（Ｓ１）、画像形成済み用紙受容部３に積載保持された用紙を用紙積載トレイ７へ載せ替えるために、用紙支持棒８が開放（下降）し始める（Ｓ２）。その際、用紙止め板１１は、用紙止め板駆動部１２（用紙止め板制御モータ）の働きにより後退し、用紙から離れる（Ｓ２）。他方、用紙ガイド板１０は、用紙ガイド板駆動部９（用紙ガイド板回転モータ）の働きにより、用紙支持棒８の開放（下降）につれて、側方に回転を始める (同分図（１）から（２）、Ｓ３）。用紙ガイド板１０と用紙支持棒８は所定時間駆動した後に停止する（Ｓ４）。用紙ガイド板１０の回転動作は、用紙支持棒８の開放（下降）動作に同調するように制御され、用紙の用紙積載トレイ７への載せ替えが確実に行われるようになっている。
【００３０】
図５（ｂ）（３）に示すように、用紙が用紙積載トレイ７に到達すると、用紙止め板１１は、用紙止め板駆動部１２（用紙止め板制御モータ）の働きにより前進する（Ｓ５）。その後、図示しない用紙積載検知センサが用紙積載トレイ７への用紙の積載を検知すると（Ｓ６）、画像形成装置２００から排出される別の画像形成済み用紙を積載保持する準備のために、用紙ガイド板１０は、逆方向に回転して通常の待機位置に戻り (同分図（３）、Ｓ７）、用紙支持棒８は、閉鎖（上昇）し (同分図（４）、Ｓ８）、用紙転載動作は完了する（Ｓ９）。
【００３１】
３．用紙積載トレイ７及びその移動機構等の構成等
（図６（ａ）〜（ｆ）、図７（ａ）〜図７（ｌ））
図６（ａ）は、用紙積載トレイ配置部６と、用紙積載トレイ配置部６に移動可能に設けられた用紙積載トレイ７と、用紙積載トレイ配置部６に移動可能に設けられて用紙積載トレイ７を所定の各位置に設定するトレイ移動組立１４と、これらに付随する各種装置等を示す一部を切り欠いて示す斜視図である。
【００３２】
図６（ｂ）〜図６（ｆ）は、図６（ａ）中に示した装置の各部を取り出してそれぞれ示した図であり、図６（ｂ）はトレイ移動組立１４の斜視図、図６（ｃ）は位置決め用のトレイ収納ゲートソレノイド１９の斜視図、図６（ｄ）はトレイ送り出し部２０の斜視図、図６（ｅ）はトレイを所定位置に固定するためのトレイ固定組立２６の斜視図、図６（ｆ）は用紙積載トレイ７の斜視図である。また、図７（ａ）〜図７（ｌ）は、用紙積載トレイ配置部６における用紙積載トレイ７及びトレイ移動組立１４等の作用を示す図である。
【００３３】
図６（ａ）に示すように、水平搬送部５の上に設けられた前記用紙積載トレイ配置部６には、用紙積載トレイ配置部６に案内されて移動自在とされた複数の用紙積載トレイ７と、前記用紙積載トレイ７に着脱自在に係合して前記用紙積載トレイ配置部６に沿って移動することにより前記用紙積載トレイ７を往復移動させるトレイ移動手段（トレイの移動台）としてのトレイ移動組立１４等が設けられている。
【００３４】
まず、前記用紙積載トレイ配置部６は、移動部品の移動経路となる所定間隔のスペースを間において、水平搬送部５の長手方向に沿って配置された断面矩形の略箱型である一対のケース部５０を備えている。各ケース部５０の対面する各内壁面には、搬送方向に沿って上下２列の案内溝５１，５２が互いに平行に形成されている。
【００３５】
一対のケースの間に設けられている用紙積載トレイ７は、図６（ａ）及び図６（ｆ）の分図（１）に示すように、各ケース部５０内に移動可能に収納される一対の略箱形の案内部材であるトレイ移動ガイド板２１を、前記上側の溝５１を挿通する支持軸５３によって連結し、一対のケース部５０，５０間にある該支持軸５３に対しては、トレイ板５４の下縁に固設された管部５５を回動可能に取付けるとともに、この管部５５の両端側にある支持軸５３に回動可能に設けた短管５６に用紙のガイド部材となる略三角形のトレイ用紙ガイド２２を設けたものである。そして、上面と内面が開放されたトレイ移動ガイド板２１の上部がケース部５０から上方に突出しており、トレイ板５４の両側下部はトレイ移動ガイド板２１の当該突出部分に囲まれているので、このトレイ板５４はトレイ移動ガイド板２１に当たらない範囲において支持軸５３に対して揺動可能である。すなわち、図６（ａ）において左側にある用紙積載トレイ７はトレイ板５４が図中手前に傾いて収納位置Ｂにあり、同右側にある用紙積載トレイ７はトレイ板５４が図中奥側に傾いて丁合待機位置Ｃにあり、トレイ板５４はこの二姿勢の間で揺動可能である。また、短管５６は支持軸５３に対して移動できるので、２枚のトレイ用紙ガイド２２の間隔を用紙のサイズに合わせて変えることができる。
【００３６】
図６（ａ）乃至図６（ｂ）に示すように、一方のケース部５０ａの内側には駆動手段としての駆動ベルト１３が設けられており、移動経路に配置されて下側の溝５２に係合・案内されたトレイ移動組立１４が該駆動ベルト１３に連結されている。トレイ移動組立１４の基体６０は、移動経路に配置されてその両端が下側の溝５２に係合・案内されており、その一端側が駆動ベルト１３に連結されている。基体６０には、用紙積載トレイ７の支持軸５３の保持動作を行うトレイ支持軸保持ソレノイド組立１６と、トレイ移動組立１４上で用紙積載トレイ７を水平方向に移動させるトレイ移動モータ１５と、用紙積載トレイ７の移動時に積載された用紙を下方に落下しないように支える用紙支持シート組立１７と、用紙積載トレイ７のトレイ用紙ガイド２２の位置調整時に使用されるトレイ用紙ガイド調整アーム組立１８が組み付けられている。
【００３７】
図６（ａ）及び図６（ｄ）に示すように、他方のケース部５０ｂの内側であって、用紙積載トレイ７の収納位置Ｂに近い側の端部には、用紙積載トレイ７を用紙積載トレイ配置部６沿いに用紙転載位置Ａに向けて移動させるための送り出し手段として、トレイ送り出し部２０が設けられている。トレイ送り出し部２０は、送り出し板６１に取付けられたモータ６２によって回転するピニオン６３がケース部５０ｂの底面に固定されたラック６４に係合しているものであり、モータ６２の駆動によって押し出し板６１がケース部５０ｂ内をトレイの移動方向に平行に移動して用紙積載トレイ７を押すことができる。 
【００３８】
図６（ａ）及び図６（ｄ）に示すように、他方のケース部５０ｂの内側であって、用紙積載トレイ７の収納位置Ｂに近い側の端部には、用紙積載トレイ７を用紙積載トレイ配置部６沿いに用紙転載位置Ａに向けて移動させるための送り出し手段として、トレイ送り出し部２０が設けられている。トレイ送り出し部２０は、送り出し板６１に取付けられたモータ６２によって回転するピニオン６３がケース部５０ｂの底面に固定されたラック６４に係合しているものであり、モータ６２の駆動によって押し出し板６１がケース部５０ｂ内をトレイの移動方向に平行に移動して用紙積載トレイ７を押すことができる。
【００３９】
図６（ａ）と後述する図９（ａ）及び図９（ｂ）にも示すように、他方のケース部５０ｂの上面の要所には、用紙積載トレイ７の姿勢を反転させる機能を有するとともに、用紙積載トレイ７を配置された所定の位置（用紙転載位置Ａ及び複数の各丁合待機位置Ｃ）に固定する手段であるトレイ固定組立２６がそれぞれ備えられている。
【００４０】
図６（ｅ）に示すように、トレイ固定組立２６は、固定フック昇降モータ２５の駆動によってトレイ固定フック２３を昇降させることができ、トレイ固定フックモータ２４の駆動によってトレイ固定フック２３を略９０°の範囲内で揺動させることができる。トレイ固定フック２３の固定面２３ａは傾斜がつけられており、下降位置においてトレイ側に回動させればトレイ板５４を押して積載・丁合姿勢に設定でき、さらにトレイ板５４の面に当接してトレイ板５４の当該姿勢を固定することができる。
【００４１】
ここで、以上説明した構成における作用を説明する。
図７（ａ）〜（ｌ）には、用紙積載トレイ７を収納位置Ｂから用紙転載位置Ａまで移動し、用紙転載後、同トレイを丁合待機位置Ｃに移動して固定する際の主要部位の動作例を示す。図１１（ａ）〜図１１（ｄ）には用紙を転載された用紙積載トレイの配置動作の詳細を説明するフローチャート（Ｓ１０〜Ｓ３０）を示すので、以下の説明において適宜参照されたい。
【００４２】
尚、この動作例では、最初に画像形成済み用紙受容部３に積載された用紙は、図１に示すように、この丁合装置の初期状態において用紙転載位置Ａに配置されている一の用紙積載トレイ７に転載され、既に、指定の丁合待機位置Ｃに移動して固定されているものとする。
【００４３】
まず、図７（ａ）〜（ｄ）には、用紙積載トレイ７を収納位置Ｂから用紙転載位置Ａまで移動する際の主要部位の動作例を示す。
直前に移動された用紙積載トレイ７が指定の丁合待機位置Ｃに確実に固定されたことが確認されると（Ｓ１０）、トレイ移動組立１４の駆動ベルト１３の動作によりトレイ移動組立１４が用紙積載トレイ７の収納基準位置まで移動し停止する (図７（ａ）、図７（ｂ）、Ｓ１１）。
【００４４】
トレイ移動組立１４が停止すると、図７ (ｃ) に示すようにトレイ支持軸保持ソレノイド組立１６が上昇し、用紙積載トレイ収納基準位置に配置された一の用紙積載トレイ７の支持軸５３の両端に固定されているトレイ移動ガイド板２１を保持する（Ｓ１２）。
【００４５】
トレイ支持軸保持ソレノイド組立１６が上昇し一定時間経過すると、トレイ収納ゲートソレノイド１９が起動し、用紙積載トレイ収納基準位置に配置された用紙積載トレイ７を抑止しているストッパーを解放する（Ｓ１３）。トレイ収納ゲートソレノイド１９が起動すると、すぐに駆動ベルト１３が動作を開始し、トレイ移動組立１４と共に、トレイ支持軸保持ソレノイド組立１６によってその両端に固定されているトレイ移動ガイド板２１を保持された用紙積載トレイ７を、用紙転載基準位置Ａまで移動する（図７（ｄ）、Ｓ１４）。
【００４６】
一方、トレイ収納ゲートソレノイド１９は、駆動ベル１３が起動して一定時間経過すると、動作を終了してストッパーを元の位置（抑止位置）に戻す（Ｓ１５）。その後、トレイ丁合給紙部８０２０のトレイ送り出しモータ６２が起動し、収納されているすべての用紙積載トレイ７を用紙積載トレイ収納基準位置方向に押し動かして、収納されている一番端の用紙積載トレイ７を用紙積載トレイ収納基準位置に配置する（図７（ｄ）、Ｓ１６）。
【００４７】
次に、図７（ｅ）には、トレイ用紙ガイド２２の位置調整を行う際の主要部位の動作例を示す。
トレイ移動組立１４が用紙転載基準位置に停止すると、図示しないトレイ用紙ガイド位置検知センサがトレイ用紙ガイド２２を必要な位置に検出しない場合は（Ｓ１７）、トレイ用紙ガイド調整アーム組立１８が、トレイ用紙ガイド２２の真下まで移動し（Ｓ１８、Ｓ１９、Ｓ２０）、電磁石等の磁力などを利用してトレイ用紙ガイド２２を保持した後、積載される用紙の幅に従ってトレイ用紙ガイド２２を指定された位置まで移動させて停止し、磁力を解除してトレイ用紙ガイド調整アーム組立１８は、トレイ用紙ガイド２２を解放し待機位置に戻る（Ｓ２１）。
【００４８】
さらに、図７（ｆ）〜（ｇ）には、用紙積載トレイ７を用紙転載待機位置に固定する際の主要部位の動作例を示す。
トレイ用紙ガイド調整アーム組立１８が待機位置に戻ると、トレイ移動モータ１５が駆動し、トレイ移動組立１４上で用紙積載トレイ７をトレイ支持軸保持ソレノイド組立１６と共に用紙転載待機位置まで移動する（Ｓ２２）。このとき、トレイ支持軸保持ソレノイド組立１６の移動に従って、用紙支持シート組立１７からロール状の用紙支持シートが引き出され、用紙積載トレイ７の下部に展開される (図７（ｆ））。
【００４９】
トレイ移動モータ１５が停止すると、用紙転載待機位置に設けられたトレイ固定組立２６内のトレイ固定フックモータ２４が駆動し、トレイ固定フック２３を用紙積載トレイ７の方向へ回転移動させる。トレイ国定フック２３が９０度回転するとトレイ固定フックモータ２４は停止する。トレイ固定フック２３は、回転移動しながら用紙積載トレイ７を押圧し、用紙積載トレイ７を支持軸５３を中心に揺動・反転させて積載・丁合姿勢に設定する（Ｓ２３）。
【００５０】
次に、固定フック昇降モータ２５が駆動して、トレイ固定フック２３を下降させる。固定フック昇降モータ２５は、一定時間駆動後停止し、トレイ固定フック２３の下降により、トレイ固定フック２３の傾斜した固定面２３ａで用紙積載トレイ７が用紙積載待機状態に保持される (図７（ｇ）、Ｓ２４）。
【００５１】
最後に、図７（ｈ）〜（ｌ）には、用紙積載トレイ７を丁合待機位置Ｃに固定する際の主要部位の動作例を示す。
用紙転載動作により、画像形成済み用紙受容部３に積載保持された用紙が用紙積載トレイ７へ載せ替えられると (図７（ｈ）、Ｓ２５）、固定フック昇降モータ２５が一定時間逆転駆動してトレイ固定フック２３を上昇させ、次にトレイ固定フックモータ２４が逆転駆動してトレイ固定フック２３を戻し方向（トレイから離れる方向）に回転移動させ、トレイ固定フック２３は９０度回転した時点で停止する (図７（ｉ）、Ｓ２６）。
【００５２】
トレイ固定フックモータ２４が停止すると、駆動ベルト１３が前回と向じ方向（丁合待機位置Ｃに向かう方向）へ動作を開始し (図７（ｉ））、トレイ移動組立１４と共に、用紙積載トレイ７を指定された丁合待機位置Ｃまで移動する（Ｓ２７）。
【００５３】
駆動ベルト１３が停止すると、指定された丁合待機位置Ｃに設備されたトレイ固定組立２６内のトレイ固定フックモータ２４が駆動し、トレイ固定フック２３を用紙積載トレイ７の方向へ回転移動させる。トレイ固定フック２３が９０度回転するとトレイ固定フックモータ２４は停止する（Ｓ２８）。
【００５４】
次に、固定フック昇降モータ２５が駆動して、トレイ固定フック２３を下降させる。固定フック昇降モータ２５は、一定時間駆動後停止し、トレイ固定フック２３の下降により、用紙積載トレイ７が指定された丁合待機位置Ｃに保持される (図７（ｊ）、Ｓ２９）。
これによって、用紙積載トレイ７の配置動作が完了する（Ｓ３０、Ｓ３１）。
【００５５】
次に、トレイ固定フック２３が下降終了して用紙積載トレイを丁合待機位置Ｃに保持すると（Ｓ３１）、後述するように一次丁合給紙ソレノイド２９（図８（ａ）参照）が起動して一次丁合給紙ローラ３１が退避位置に移動する（Ｓ３２）。
【００５６】
そして、図７（ｊ）に示すように、トレイ支持軸保持ソレノイド組立１６が下降し、丁合待機位置に保持された用紙積載トレイ７のトレイ移動ガイド板２１から離脱すると（Ｓ３３）、トレイ移動モータ１５が一定時間逆転駆動し、図７（ｋ）に示すようにトレイ支持軸保持ソレノイド組立１６がトレイ移動組立１４上の初期位置まで戻る（Ｓ３４）。
【００５７】
この時、後述するように用紙を水平搬送部５に送り出す際のガイドとなる用紙ガイドトレイ２７が上昇し（Ｓ３４、図８（ａ）参照）、所定位置に設定される（Ｓ３５）。またトレイ支持軸保持ソレノイド組立１６が初期位置に戻るのに伴い、用紙積載トレイ７の下部に展開されていた用紙支持シートは、用紙支持シート組立１７に巻き戻され（Ｓ３５）、用紙支持シートによって支持されていた用紙積載トレイ７上の用紙は、そのまま重力落下し、用紙積載トレイ配置部６の下部に設備された丁合給紙部８０に導入される (図７（ｋ）、Ｓ３６）。
【００５８】
そして、後述するように一次丁合給紙ソレノイド２９が停止して一次丁合給紙ローラ３１が給紙位置に戻り（Ｓ３７）、用紙収納動作が終了して丁合動作の準備が完了する（Ｓ３８）。
【００５９】
トレイ支持軸保持ソレノイド組立１６が初期位置に戻りトレイ移動モータ１５が停止すると、駆動ベルト１３が前回とは逆方向に駆動し、トレイ移動組立１４を用紙積載トレイ収容基準位置まで再度移動させる (図７（ｌ））。上記一連の動作は、丁合すべき画像形成済み用紙がすべて用紙積載トレイ７に積載され、これら用紙が積載された複数の用紙積載トレイ７がすべて所定の丁合待機位置Ｃに固定されるまで繰り返される。
【００６０】
４．用紙積載トレイ配置部６の下部に設備された丁合給紙部８０の構成等
（図８（ａ）、図８（ｂ））
図８（ａ）には、用紙積載トレイ配置部６の下部に設備された丁合給紙部８０の要部構成図が示されている。
【００６１】
丁合給紙部８０には、丁合する用紙を収納する用紙収納ラック３０と、用紙積載トレイ７の方向に上昇して用紙収納ラック３０へ用紙を導く用紙ガイドトレイ２７と、用紙を水平用紙搬送部５方向へ送る一次丁合給紙ローラ３１と、一次丁合給紙ローラ３１から送られてきた用紙を水平用紙搬送部５へ送り出す二次丁合給紙ローラ３２と、一次丁合給紙ローラ３１ならびに二次丁合給紙ローラ３２を駆動する丁合給紙モータ２８と、用紙収容時に一次丁合給紙ローラ３１を既定の位置まで待避させる一次丁合給紙ソレノイド２９とが主に備えられている。
【００６２】
ここで、以上説明した構成における作用を説明する。
図８（ｂ）には同丁合給紙部８０から用紙を水平用紙搬送部５へ送り出す際の主要部位の動作例を示す。
【００６３】
丁合する用紙を丁合給紙部８０に収納するために用紙積載トレイ７の下部に展開された用紙支持シートの用紙支持シート組立１７への巻き戻しが開始されると（図８（ｂ）（１）、Ｓ３５）、用紙ガイドトレイ２７が用紙積載トレイ７方向に上昇を始める（図８（ｂ）（２）、Ｓ３５）。用紙ガイドトレイ２７が用紙積載トレイ７の直下まで上昇し用紙支持シートの巻き戻しが進むと（Ｓ３５）、用紙は用紙ガイドトレイ２７に沿って用紙収納ラック３０内に重力落下する（図８（ｂ）（３）、Ｓ３６）。
【００６４】
この時、一次丁合給紙ローラ３１は、一次丁合給紙ソレノイド２９の働きにより既定の位置に待避している（Ｓ３２）。用紙が用紙収納ラック３０に収納されると、一次丁合給紙ソレノイド２９は停止し、一次丁合給紙ローラ３１は給紙位置に戻る（Ｓ３７）。この状態で丁合開始信号が出力されると、丁合給紙モータ２８が間欠駆動し、一次丁合給紙ローラ３１ならびに二次丁合給紙ローラ３２の回転により断続的に用紙が水平用紙搬送部５へ送り出され、用紙の丁合が行われる。
【００６５】
５．丁合動作後の用紙積載トレイ７の収納位置Ｂへの復帰動作
（図９（ａ）、図９（ｂ））
図９（ａ）及び図９（ｂ）には、丁合動作終了後に用紙積載トレイ７を用紙積載トレイ収納位置へ戻した上で、丁合装置を初期状態に戻す際の主要部位の動作例を示す。図１３（ａ）及び図１３（ｂ）にはその際の動作の詳細を説明するフローチャート（Ｓ３９〜Ｓ４９）を示すので、以下の説明において適宜参照されたい。
【００６６】
丁合動作が終了し何れの用紙積載トレイ７にも用紙が残っていないことが確認されると（Ｓ３９）、駆動ベルト１３の動作により、図９（ａ）（１）に示すように用紙転載基準位置に待機していたトレイ移動組立１４が、図９（ａ）（２）に示すように一番奥に位置する用紙積載トレイ７の丁合待機位置まで移動し停止する（Ｓ４０）。
【００６７】
トレイ移動組立１４が停止すると、トレイ支持軸保持ソレノイド組立１６が上昇し、そこに位置する用紙積載トレイ７の支持軸５３両端に固定されているトレイ移動ガイド板２１を保持する（Ｓ４１）。
【００６８】
トレイ支持軸保持ソレノイド組立１６が上昇し一定時間経過すると、各丁合待機位置にある固定フック昇降モータ２５が一定時間逆転駆動し、使用された用紙積載トレイ７の各々を固定しているすべてのトレイ固定フック２３を上昇させる。次に、トレイ国定フックモータ２４が逆転駆動し、トレイ固定フック２３を戻し方向に回転移動させ、トレイ固定フック２３が９０度回転した時点で停止する（Ｓ４２）。
【００６９】
この動作によりトレイ固定フック２３の抑止力がなくなると、図９（ａ）（３）に示すように用紙積載トレイ７は重心の関係で自然にトレイ支持軸５３中心に反転して積載・丁合姿勢から収納姿勢になる。
【００７０】
トレイ固定フックモータ２４が停止すると、トレイ収納ゲートソレノイド１９が起動し、ストッパーを後退させるとともに（Ｓ４３）、トレイ送り出し部２０が逆転駆動し、作用板と共に待機位置方向へ移動する（Ｓ４４）。
【００７１】
トレイ送り出し部２０が待機位置にて停止したことが確認されると、駆動ベルト１３が前回の動作時とは反対の方向へ動作を開始し、トレイ移動組立１４と共に、トレイ支持軸保持ソレノイド組立１６がその両端のトレイ移動ガイド板２１を保持する用紙積載トレイ７を、用紙積載トレイ収納基準位置まで移動する。この際、使用された残りの用紙積載トレイ７は、トレイ移動組立１４と共に移動する用紙積載トレイ７のトレイ移動ガイド板２１により、各自のトレイ移動ガイド板２１に推力を与えられ、トレイ移動組立１４に押し動かされる形で用紙積載トレイ収納位置まで移動する（図９（ｂ）（１）（２）、Ｓ４５）。
【００７２】
トレイ移動組立１４が用紙積載トレイ収納基準位置まで移動すると、駆動ベルト１３が前回の動作時とは反対の方向へ動作を開始し、トレイ移動組立１４と共に、トレイ支持軸保持ソレノイド組立１６がその両端のトレイ移動ガイド板２１を保持する用紙積載トレイ７を用紙転載基準位置まで移動する（図９（ｂ）（３）、Ｓ４６）。
【００７３】
トレイ移動組立１４が用紙転載基準位置まで移動し停止すると（Ｓ４６）、トレイ収納ゲートソレノイド１９が停止し、ストッパーが元に位置（抑止位置）に戻る（Ｓ４７）。
【００７４】
さらに、トレイ収納ゲートソレノイド１９が停止すると、トレイ送り出し部２０が起動し、収納位置Ａにあるすべての用紙積載トレイ７を用紙積載トレイ収納基準位置方向に押し動かして、収納されている一番端の用紙積載トレイ７を用紙積載トレイ収納基準位置に配置する（図９（ｂ）（３）、Ｓ４８）。
【００７５】
尚、用紙転載基準位置に配置された用紙積載トレイ７は、丁合される用紙の幅に関する情報が画像形成装置２００から取得された時点で、図７（ｅ）〜図７（ｈ）により示されている動作例に従い、装備されたトレイ用紙ガイド２２を用紙幅に合わせて調整された上で、用紙転載待機位置に固定される。
【図面の簡単な説明】
【００７６】
【図１】図１は、本発明の実施の形態における丁合装置と画像形成装置の要部構成概略図である。
【図２】図２は、本発明の実施の形態における丁合装置の初期状態を示す図である。
【図３】図３は、本発明の実施の形態における用紙転載手段の平面図である。
【図４】図４は、本発明の実施の形態における用紙転載手段の斜視図である。
【図５（ａ）】図４は、本発明の実施の形態における用紙転載手段の動作を示す斜視図である。
【図５（ｂ）】図５（ｂ）は、本発明の実施の形態における用紙転載手段の動作順序を示す斜視図である。
【図６（ａ）】図６（ａ）は、本発明の実施の形態における用紙積載トレイ７及びその移動機構等の構成等を示す斜視図である。
【図６（ｂ）】図６（ｂ）は、本発明の実施の形態におけるトレイ移動手段としてのトレイ移動組立の斜視図である。
【図６（ｃ）】図６（ｃ）は、本発明の実施の形態におけるトレイ収納ゲートソレノイド１９の斜視図である。
【図６（ｄ）】図６（ｄ）は、本発明の実施の形態におけるトレイ送り出し部の斜視図である。
【図６（ｅ）】図６（ｅ）は、本発明の実施の形態におけるトレイ固定組立２６の斜視図である。
【図６（ｆ）】図６（ｆ）は、本発明の実施の形態における用紙積載トレイ７の斜視図である。
【図７（ａ）】図７（ａ）は、本発明の実施の形態における用紙積載トレイ７を収納位置Ｂから用紙転載位置Ａまで移動する際の主要部位の動作例を示す斜視図である。
【図７（ｂ）】図７（ｂ）は、本発明の実施の形態における用紙積載トレイ７を収納位置Ｂから用紙転載位置Ａまで移動する際の主要部位の動作例を示す斜視図である。
【図７（ｃ）】図７（ｃ）は、本発明の実施の形態における用紙積載トレイ７を収納位置Ｂから用紙転載位置Ａまで移動する際の主要部位の動作例を示す斜視図である。
【図７（ｄ）】図７（ｄ）は、本発明の実施の形態における用紙積載トレイ７を収納位置Ｂから用紙転載位置Ａまで移動する際の主要部位の動作例を示す斜視図である。
【図７（ｅ）】図７（ｅ）は、本発明の実施の形態におけるトレイ用紙ガイド２２の位置調整を行う際の主要部位の動作例を示す。
【図７（ｆ）】図７（ｆ）は、本発明の実施の形態における用紙積載トレイ７を用紙転載待機位置に固定する際の主要部位の動作例を示す。
【図７（ｇ）】図７（ｇ）は、本発明の実施の形態における用紙積載トレイ７を用紙転載待機位置に固定する際の主要部位の動作例を示す。
【図７（ｈ）】図７（ｈ）は、本発明の実施の形態における用紙積載トレイ７を丁合待機位置Ｃに固定する際の主要部位の動作例を示す。
【図７（ｉ）】図７（ｉ）は、本発明の実施の形態における用紙積載トレイ７を丁合待機位置Ｃに固定する際の主要部位の動作例を示す。
【図７（ｊ）】図７（ｊ）は、本発明の実施の形態における用紙積載トレイ７を丁合待機位置Ｃに固定する際の主要部位の動作例を示す。
【図７（ｋ）】図７（ｋ）は、本発明の実施の形態における用紙積載トレイ７を丁合待機位置Ｃに固定する際の主要部位の動作例を示す。
【図７（ｌ）】図７（ｌ）は、本発明の実施の形態における用紙積載トレイ７を丁合待機位置Ｃに固定する際の主要部位の動作例を示す。
【図８（ａ）】用紙積載トレイ配置部６の下部に設備された丁合給紙部８０の要部構成図を示す斜視図である。
【図８（ｂ）】図８（ｂ）には丁合給紙部から用紙を水平用紙搬送部へ送り出す際の主要部位の動作例を示す斜視図である。
【図９（ａ）】図９（ａ）は、本発明の実施形態における用紙積載トレイ７を丁合待機位置Ｃから収納位置Ｂまで移動する際の主要部位の動作例を示す。
【図９（ｂ）】図９（ｂ）は、本発明の実施形態における用紙積載トレイ７を丁合待機位置Ｃから収納位置Ｂまで移動する際の主要部位の動作例を示す。
【図１０（ａ）】図１０（ａ）は、本発明の実施の形態における作用において用紙転載動作の作動手順を示す流れ図である。
【図１０（ｂ）】図１０（ｂ）は、本発明の実施の形態における作用において用紙転載動作の作動手順を示す流れ図である。
【図１１（ａ）】図１１（ａ）は、本発明の実施の形態における作用において用紙積載トレイの配置動作手順を示す流れ図である。
【図１１（ｂ）】図１１（ｂ）は、本発明の実施の形態における作用において用紙積載トレイの配置動作手順を示す流れ図である。
【図１１（ｃ）】図１１（ｃ）は、本発明の実施の形態における作用において用紙積載トレイの配置動作手順を示す流れ図である。
【図１１（ｄ）】図１１（ｄ）は、本発明の実施の形態における作用において用紙積載トレイの配置動作手順を示す流れ図である。
【図１２】図１２は、本発明の実施の形態における作用において用紙の収納動作手順を示す流れ図である。
【図１３（ａ）】図１３（ａ）は、本発明の実施の形態における作用において用紙積載トレイの収納動作手順を示す流れ図である。
【図１３（ｂ）】図１３（ｂ）は、本発明の実施の形態における作用において用紙積載トレイの収納動作手順を示す流れ図である。
【符号の説明】
【００７７】
２…垂直搬送部、３…画像形成済み用紙受容部、５…水平搬送部、
６…案内構造を有する用紙積載トレイ配置部、７…用紙積載トレイ、
８…開閉手段としての用紙支持棒、１０…案内手段としての用紙ガイド板、
１４…トレイ移動手段としてのトレイ移動組立、
２０…送り出し手段としてのトレイ送り出し部、
２６…トレイ位置決め用のトレイ固定組立、４０…用紙転載手段、４１ａ…貫通孔、
４１…基台、５１，５２…案内溝、８０…丁合給紙部。
【図１】
2005096895.tif 000003
【図２】
2005096895.tif 000004
【図３】
2005096895.tif 000005
【図４】
2005096895.tif 000006
【図５（ａ）】
2005096895.tif 000007
【図５（ｂ）】
2005096895.tif 000008
【図６（ａ）】
2005096895.tif 000009
【図６（ｂ）】
2005096895.tif 000010
【図６（ｃ）】
2005096895.tif 000011
【図６（ｄ）】
2005096895.tif 000012
【図６（ｅ）】
2005096895.tif 000013
【図６（ｆ）】
2005096895.tif 000014
【図７（ａ）】
2005096895.tif 000015
【図７（ｂ）】
2005096895.tif 000016
【図７（ｃ）】
2005096895.tif 000017
【図７（ｄ）】
2005096895.tif 000018
【図７（ｅ）】
2005096895.tif 000019
【図７（ｆ）】
2005096895.tif 000020
【図７（ｇ）】
2005096895.tif 000021
【図７（ｈ）】
2005096895.tif 000022
【図７（ｉ）】
2005096895.tif 000023
【図７（ｊ）】
2005096895.tif 000024
【図７（ｋ）】
2005096895.tif 000025
【図７（ｌ）】
2005096895.tif 000026
【図８（ａ）】
2005096895.tif 000027
【図８（ｂ）】
2005096895.tif 000028
【図９（ａ）】
2005096895.tif 000029
【図９（ｂ）】
2005096895.tif 000030
【図１０（ａ）】
2005096895.tif 000031
【図１０（ｂ）】
2005096895.tif 000032
【図１１（ａ）】
2005096895.tif 000033
【図１１（ｂ）】
2005096895.tif 000034
【図１１（ｃ）】
2005096895.tif 000035
【図１１（ｄ）】
2005096895.tif 000036
【図１２】
2005096895.tif 000037
【図１３（ａ）】
2005096895.tif 000038
【図１３（ｂ）】
2005096895.tif 000039